(57)【要約】【課題】  他の電話機からの着信がファクシミリ通信の場合であっても、送信された画像データを受信することができる携帯用電話機を提供すること。【解決手段】  携帯用電話機１００は、他の電話機と通信を行うとともにファクシミリ通信を行う際に画像データを受信する通信制御部１１０と、受信された画像データを解析して文字データを生成するデータ生成部１２０と、生成された文字データを表示する表示部１３０と、を備え、受信された画像データを文字データとして表示するようになっている。また、この携帯用電話機１００は、受信された画像データおよび生成された文字データが対応付けて格納されるデータ格納部１５０と、画像データの外部装置への出力操作などを行う操作部１６０と、格納されているデータを外部装置に出力する出力制御部１７０と、を備え、画像データを印刷出力する印刷装置などの外部装置に、当該受信された画像データを出力することができるようになっている。【選択図】      図１
2006261743.tif 000002
【特許請求の範囲】
【請求項１】
他の通信端末装置と通話可能な携帯用通信端末装置であって、
前記他の通信端末装置の発信に基づく着信を検出する着信検出手段と、
前記検出された着信が二次元の画像データの伝送を行うファクシミリ通信か否かを検出する通信検出手段と、
前記検出された着信がファクシミリ通信である場合に、前記画像データを受信する受信手段と、
前記受信された画像データが記憶される記憶手段と、
前記受信された画像データから文字部分を認識し、文字データを生成する生成手段と、
前記生成された文字データを表示する表示手段と、
を備えることを特徴とする携帯用通信端末装置。
【請求項２】
請求項１に記載の携帯用通信端末装置において、
前記記憶手段には、前記生成された文字データが、前記受信された画像データに対応付けて記憶されることを特徴とする携帯用通信端末装置。
【請求項３】
請求項１または２に記載の携帯用通信端末装置において、
ユーザが当該携帯用通信端末装置の操作を行うために用いられる操作手段と、
前記操作手段によって前記文字データの表示に基づく所定の操作が行われた際に、当該文字データに対応する前記画像データを記憶手段から読み出して外部装置に出力する出力制御手段と、
を更に備えることを特徴とする携帯用通信端末装置。
【請求項４】
請求項１乃至３の何れか一項に記載の携帯用通信端末装置において、
前記他の通信端末装置の発信に基づく着信が生じた際にユーザに対して呼出を行う呼出手段と、
前記通信検出手段によってファクシミリ通信でないことが検出された場合に前記呼出手段に呼出を行わせる呼出制御手段と、
を更に備えることを特徴とする携帯用通信端末装置。
【請求項５】
請求項１乃至４の何れか一項に記載の携帯用通信端末装置において、
前記表示手段が、前記受信手段によって前記画像データが受信されている際に、前記ファクシミリ通信中である旨を表示することを特徴とする携帯用通信端末装置。
【発明の詳細な説明】
【技術分野】
【０００１】
本発明は、携帯用電話機におけるファクシミリ（ＦＡＸ）などの画像データの通信に関する技術分野に属する。
【背景技術】
【０００２】
近年、無線通信技術や種々の回路素子および表示装置の小型化など、周辺技術の発達に伴って、携帯用電話機が急速に普及し、最近では、電話を行う通話機能のみならず、電子メールの送受信、または、ＷＷＷ（World Wide Web）サーバ装置によって提供されているホームページなどのドキュメントデータの取得または閲覧を行うことができるようになっており、より一層利便性が向上している。
【０００３】
一方、従来から、電話公衆網回線を提供する通信事業者によって、任意の電話機の着信をユーザが指定した電話機に転送するサービス（以下、「転送サービス」という。）が提供されており、固定された通常の電話機の近傍に、ユーザが不在の場合であっても、所定の電話機に伝送する設定を行えば、他の場所に存在するユーザが受話することができるようになっている。特に、最近では、一般的な電話機の他に、携帯用電話機にも他の電話機からの着信を転送することも多くなってきている。
【発明の開示】
【発明が解決しようとする課題】
【０００４】
上述の転送サービスにおいては、通信種別を認識することによって他の電話機からの着信を転送するようになっていないので、ファクシミリ装置などのファクシミリ機能を有する電話機から画像データの通信も転送される。
【０００５】
しかしながら、通常、携帯用電話機ではファクシミリ受信機能を有していないため、携帯用電話機にファクシミリ装置からの着信が転送されたとしても、送信された画像データを受信することができない。
【０００６】
また、この場合に、転送設定されている以上、転送元の、すなわち、転送設定された電話機においても当該送信された画像データを受信することができないので、送信者に対して再度の送信を行わせるなど煩雑な作業を行わせてしまうとともに、ユーザにあっては転送設定を解除して転送元の電話機にて受信させるなど、ファクシミリ通信時の画像データの受信に対して種々の作業が必要になる。
【０００７】
本発明は、上記の課題の一例を解決するものとして、他の電話機からの着信がファクシミリ通信の場合に、送信された画像データを受信することができ、その内容を表示させることができるとともに、特に、ファクシミリ装置からの着信を携帯用電話機に転送サービスを設定された場合であっても、煩雑な作業を行うことなく、当該携帯用電話機にて他のファクシミリ装置から転送された画像データ受信することができ、的確に転送サービスを享受することができる携帯用電話機を提供することにある。
【課題を解決するための手段】
【０００８】
上記の課題を解決するために、請求項１に記載の発明は、他の通信端末装置と通話可能な携帯用通信端末装置であって、前記他の通信端末装置の発信に基づく着信を検出する着信検出手段と、前記検出された着信が二次元の画像データの伝送を行うファクシミリ通信か否かを検出する通信検出手段と、前記検出された着信がファクシミリ通信である場合に、前記画像データを受信する受信手段と、前記受信された画像データから文字部分を認識し、文字データを生成する生成手段と、前記生成された文字データを表示する表示手段と、前記受信された画像データが対応付けて記憶される記憶手段と、を備える構成を有している。
【０００９】
この構成により、請求項１に記載の発明は、検出された着信がファクシミリ通信の場合に、受信された画像データから文字データを認識して表示するとともに、受信された画像データが対応付けて記憶される。
【００１０】
通常、携帯用通信端末装置の表示手段は、ファクシミリ通信によって受信される画像データの大きさより極めて小さいので、当該受信された画像データを、受信されたデータ形式にて、または、サムネイルなどの縮小画像にて表示したとしても、ユーザは携帯用通信端末にて容易に当該受信された画像データを認識することができない。
【００１１】
したがって、請求項１に記載の発明は、受信された画像データを、文字データにて表示することができるので、文字の表示する際の大きさおよびその配列など携帯用通信端末装置の表示手段に適合させて表示することも可能となり、ユーザが当該受信された画像データの内容を理解することができるとともに、送信された元の画像データも記憶するようになっているので、印刷装置などの外部装置と接続すれば、当該画像データを紙などの媒体に出力させることができるので、ファクシミリ装置と同様な機能を発揮することができる。
【００１２】
さらに、請求項１に記載の発明は、他の通信端末装置の発信に基づく着信が為されたファクシミリ通信機能を有する通信端末装置からの転送されるすべての着信を受信することができるので、携帯用通信端末装置において、任意のファクシミリ通信機能を有する電話機の着信をユーザが指定した電話機に転送する転送サービスを的確に享受することができる。
【００１３】
また、請求項２に記載の発明は、請求項１に記載の携帯用通信端末装置において、前記記憶手段には、前記生成された文字データが、前記受信された画像データに対応付けて記憶される構成を有している。
【００１４】
この構成により、請求項２に記載の発明は、生成された文字データが、前記受信された画像データに対応付けて記憶されるので、画像データの受信終了後、他の操作を行った後であっても、再度、文字データを表示させることができるとともに、ファクシミリ通信の着信履歴を表示するための一覧表などのデータを生成する際にも利用することができるので、ユーザの利便性を向上させることができる。
【００１５】
また、請求項３に記載の発明は、請求項１または２に記載の携帯用通信端末装置において、ユーザが当該携帯用通信端末装置の操作を行うために用いられる操作手段と、前記操作手段によって前記文字データの表示に基づく所定の操作が行われた際に、当該文字データに対応する前記画像データを記憶手段から読み出して前記外部装置に出力する出力制御手段と、を更に備える構成を有している。
【００１６】
この構成により、請求項３に記載の発明は、文字データの表示に基づく所定の操作が行われた際に、当該文字データに対応する前記画像データを記憶手段から読み出して前記外部装置に出力するので、当該画像データを紙などの媒体に出力させる印刷装置などの外部装置と接続することによって、受信された画像データを出力することができ、ファクシミリ装置と同様な機能を発揮することができる。
【００１７】
また、請求項４に記載の発明は、請求項１乃至３の何れか一項に記載の携帯用通信端末装置において、前記他の通信端末装置の発信に基づく着信が生じた際にユーザに対して呼出を行う呼出手段と、前記通信検出手段によってファクシミリ通信でないことが検出された場合に前記呼出手段に呼出を行わせる呼出制御手段と、を更に備える構成を有している。
【００１８】
この構成により、請求項４に記載の発明は、前記通信検出手段によってファクシミリ通信でないことが検出された場合に呼出を行うので、すなわち、ファクシミリ通信の場合には、呼出音を拡声しないので、ユーザにとってはファクシミリ通信時に応答することがない。
【００１９】
したがって、請求項４に記載の発明は、ファクシミリ通信時における通信音を聴取することないので、ユーザにおける不快感を与えることがない。
【００２０】
また、請求項５に記載の発明は、請求項１乃至４の何れか一項に記載の携帯用通信端末装置において、前記表示手段が、前記受信手段によって前記画像データが受信されている際に、前記ファクシミリ通信中である旨を表示する構成を有している。
【００２１】
この構成により、請求項５に記載の発明は、画像データが受信されている際に、前記ファクシミリ通信中である旨を表示するので、当該ファクシミリ通信の動作を行っていることを確認することができる。
【発明の効果】
【００２２】
本願の発明は、受信された画像データを、文字データにて表示することができるので、携帯用通信端末装置の表示手段に適合させて表示することも可能となり、ユーザが当該受信された画像データの内容を理解することができるとともに、画像データも記憶するようになっているので、印刷装置などの外部装置と接続すれば、当該画像データを紙などの媒体に出力させることができるので、ファクシミリ装置と同様な機能を発揮することができる。
【００２３】
また、本願の発明は、他の通信端末装置の発信に基づく着信が為されたファクシミリ通信機能を有する通信端末装置からの転送されるすべての着信を受信することができるので、携帯用通信端末装置において、任意のファクシミリ通信機能を有する電話機の着信をユーザが指定した電話機に転送する転送サービスを的確に享受することができる。
【発明を実施するための最良の形態】
【００２４】
次に、本発明に好適な実施の形態について、図面に基づいて説明する。
【００２５】
以下に説明する実施の形態は、ファクシミリ機能を有する固定電話機から着信が転送された携帯用電話機に対して本願の携帯用通信端末装置を適用した場合の実施形態である。
【００２６】
まず、図１に用いて本願の携帯用電話機の構成について説明する。なお、図１は、本願に係る携帯用電話機の構成を示す構成図である。
【００２７】
本実施形態の携帯用電話機１００は、ファクシミリ通信の機能を有する固定電話機（以下、「ファクシミリ装置」という。）に着信が為された場合に、当該着信の転送先に指定されるようになっている。また、この携帯用電話機１００は、携帯用電話機１００が転送先として設定された後に、ファクシミリ装置の電話番号が固定電話機などの他の電話機によって着呼されると、当該携帯用電話機１００に着信が生じるようになっている。
【００２８】
なお、この転送先の指定は、ユーザの指示に基づいてファクシミリ装置と電話公衆網回線によって接続される図示しない交換機にて設定されるようになっている。
【００２９】
本実施形態の携帯用電話機１００は、図１に示すように、アンテナＡＴを介して他の電話機と通信を行うとともにファクシミリ通信を行う際に画像データを受信する通信制御部１１０と、受信された画像データを解析して文字データを生成するデータ生成部１２０と、生成された文字データを表示する表示部１３０と、当該表示部１３０を制御する表示制御部１４０と、を備え、受信された画像データを文字データとして表示するようになっている。
【００３０】
また、この携帯用電話機１００は、受信された画像データおよび生成された文字データが対応付けて格納されるデータ格納部１５０と、画像データの外部装置への出力操作など携帯用電話機１００の各種の操作を行う際に用いられる操作部１６０と、格納されているデータを外部装置に出力する出力制御部１７０と、を備え、画像データを印刷出力する印刷装置などの外部装置に、当該受信された画像データを出力することができるようになっている。
【００３１】
さらに、この携帯用電話機１００は、着信が生じた際に呼出を拡声する呼出音拡声部１８０と、画像データの受信処理など所定の処理を行う際に各部を制御するシステム制御部１９０と、各部を制御する際に用いられるＲＯＭ／ＲＡＭ２００と、を備えるとともに、固定電話機または他の携帯用電話機１００との通話を行うため、音声が入力されるマイクロホンＭと、入力された音声を所定の信号に処理する音声処理部２１０と、受信された音声データを拡声するスピーカＳＰと、スピーカＳＰを制御する拡声制御部２２０と、を備えている。
【００３２】
なお、本実施形態の通信制御部１１０は、本発明の着信検出手段、通信検出手段および受信手段を構成し、データ生成部１２０は、本発明の生成手段を構成する。また、本実施形態の表示部１３０は、本発明の表示手段を構成するとともに、データ格納部１５０は、本発明の記憶手段を構成し、操作部１６０は、本発明の操作手段を構成する。さらに、出力制御部１７０は、本発明の出力制御手段を構成するとともに、呼出音拡声部１８０は、本発明の呼出手段を構成し、システム制御部１９０は、本発明の呼出制御手段を構成する。
【００３３】
通信制御部１１０は、アンテナＡＴを介して電話公衆網回線に接続されるようになっており、システム制御部１９０の制御の下、転送元の固定電話機など他の電話機と通信制御を行うようになっている。
【００３４】
特に、本実施形態の通信制御部１１０は、他の電話機からの着信が生じた際に、図示しない交換機を介して当該他の電話機との通信回線を確立するようになっている。また、この通信制御部１１０は、他の電話機との通信回線を確立すると、システム制御部１９０の制御の下、当該着信がファクシミリ通信であるか否かを検出し、画像データの受信または呼出音の拡声を行う着信処理を実行するようになっており、画像データを受信した場合には、当該画像データをデータ生成部１２０およびデータ格納部１５０に出力するようになっている。
【００３５】
具体的には、本実施形態の通信制御部１１０は、他の電話機との通信回線を確立すると、他の電話機からの着信がファクシミリ通信であることを示す所定の通信音が送信されてきているか否かを検出し、所定の通信音が送信されてきている場合には、他の電話機からの着信がファクシミリ通信であること、すなわち、着信の種別を検出するようになっている。そして、この通信制御部１１０は、発信先の電話機からの着信がファクシミリ通信であることを検出すると、送信装置と受信装置間において異なる通信方式またはデータ形式を適合させる処理を行うエミュレーションなどの画像データの受信準備の処理と、当該画像データの受信処理と、を行うとともに、受信終了後に通信回線を切断するようになっている。また、この通信制御部１１０は、発信先の電話機からの着信がファクシミリ通信でないことを検出すると、すなわち、通話を行うための着信であることを検出すると、呼出音を拡声するためにシステム制御部１９０にその旨を出力するようになっている。
【００３６】
例えば、本実施形態の通信制御部１１０は、画像データを受信する際には、所定の二値化処理されたデータを画像データとして受信するとともに、受信されたデータを組み立てて、ＧＩＦ形式（Graphics Interchange Format）またはＪＰＥＧ（Joint Photographic Coding Experts Group）形式など所定のデータ形式の画像データを生成し、生成された画像データをデータ生成部１２０およびデータ格納部１５０に出力するようになっている。
【００３７】
なお、通信制御部１１０は、呼出音が拡声された後に、当該呼出に基づく応答が行われると、他の電話機との通話経路を形成し、通話終了後に通信回線を切断するようになっている。
【００３８】
また、本実施形態では、原則、着信の種別、すなわち、ファクシミリ通信であるか否かを検出している際に、呼出音を拡声させないようになっているが、勿論、所定の操作により、当該着信の種別を検出している際に、呼出音を拡声するようにしてもよい。
【００３９】
データ生成部１２０には、画像データの受信がなされると、当該画像データが入力されるようになっており、このデータ生成部１２０は、入力された画像データに対して、当該画像データにおける文字部分を認識する処理（以下、「文字認識処理」という。）を行うとともに、認識された文字部分をキャラクタコードによって文字データを構成するテキストデータに変換するようになっている。また、このデータ生成部１２０は、変換されたテキストデータを文字データとしてデータ格納部１５０および表示制御部１４０に出力するようになっている。
【００４０】
表示部１３０は、液晶素子またはＥＬ（Electro Luminescence）素子によって構成され、表示制御部１４０にて生成された表示データに基づいて所定の画像を表示するようになっている。特に、本実施形態では、データ生成部１２０において生成されたテキストデータの表示およびファクシミリ通信中に当該ファクシミリ通信中の旨を示す表示を行うようになっている。
【００４１】
表示制御部１４０は、システム制御部１９０の制御の下、操作部１６０によって指示されたデータを取得するとともに、当該取得されたデータに基づいて、表示部１３０に表示するための表示データを生成するようになっており、生成された表示データを表示部１３０に表示出力するようになっている。特に、本実施形態では、表示制御部１４０は、操作部１６０によって受信された画像データの表示を指示すると、指示された画像データに基づいて生成されたテキストデータを取得し、当該テキストデータに基づいて表示データを生成するようになっている。
【００４２】
なお、本実施形態では、表示制御部１４０は、システム制御部１９０の制御の下、操作部１６０によってデータ格納部１５０に格納されている画像データの一覧を表示するためのデータ（以下、「一覧表データ」という。）を生成するようになっており、操作部１６０と連動して表示された一覧表データから一の画像データを表示することが選択されると、当該選択された画像データのテキストデータを取得して当該テキストデータに基づいて表示データを生成するようになっている。
【００４３】
ただし、本実施形態では、表示制御部１４０は、一覧表データとして、各画像データのテキストデータを構成する一部の文字列を、複数配列表示することによって構成されたデータと発信元の電話番号または当該発信元の電話番号が後述する電話帳データに登録されている場合には発信元の名称に対応付けて生成するようになっている。
【００４４】
データ格納部１５０には、通信制御部１１０にて受信された画像データと、データ生成部１２０にて生成されたテキストデータと、が対応づけられて格納されており、このデータ格納部１５０は、システム制御部１９０の制御の下、テキストデータを表示制御部１４０に出力するとともに、画像データを出力制御部１７０に出力するようになっている。
【００４５】
なお、本実施形態では、このデータ格納部１５０には、受信された画像データが、通信制御部１１０にて生成されたＧＩＦ形式またはＪＰＥＧ形式など所定のデータ形式を維持しつつ、格納されるようになっている。
【００４６】
操作部１６０は、各種確認ボタン、各操作指令を入力する操作ボタン、テンキーおよびその他の数字キーなど、多数のキーにより構成され、本実施形態では、ユーザによって操作され、受信された画像データの表示選択、または、格納されている画像データの外部装置の出力操作を行うことができるようになっている。
【００４７】
出力制御部１７０は、印刷装置などの図示しない外部装置と接続するための接続端子、または、無線通信部を有しており、システム制御部１９０の制御部の下、操作部１６０の操作に基づいて選択された画像データを、所定の通信プロトコルに従いつつ、外部装置に出力するようになっている。
【００４８】
呼出音拡声部１８０は、呼出音を所定の信号レベルに増幅するための増幅器と、呼出音を拡声するためのスピーカＳＰと、から構成され、システム制御部１９０の制御の下、通信制御部１１０にて着信が検出され、ファクシミリ通信でないことが検出された際に、所定の呼出音を拡声するようになっている。
【００４９】
システム制御部１９０は、主に中央演算処理装置（ＣＰＵ）によって構成されるとともに、キー入力ポート、表示制御ポート等の各種入出力ポートを含み、電話機の全般的な機能を総括的に制御するようになっている。
【００５０】
具体的には、このシステム制御部１９０は、携帯用電話機１００全体の動作を制御する際に、ＲＯＭ／ＲＡＭ２００に格納される制御プログラムを読み出して各処理を実行し、当該ＲＯＭ／ＲＡＭ２００に処理中のデータを一時的に保持するようになっている。特に、本実施形態では、システム制御部１９０は、他の電話機からの着信が生じた場合に、上述の着信処理を行うようになっている。
【００５１】
なお、本実施形態のシステム制御部１９０における着信処理の詳細については、後述する。
【００５２】
ＲＯＭ／ＲＡＭ２００は、所定の動作を行う際の制御プログラムおよび電話番号と電話番号に対応する名称が対応付けられた電話帳データなどの所定のデータが記憶されている。特に、本実施形態では、着信処理を行うための制御プログラムが記憶されている。
【００５３】
次に、図２を用いて本実施形態のシステム制御部１９０における着信処理について説明する。
【００５４】
なお、図２は、本実施形態のシステム制御部１９０における着信処理の動作を示すフローチャートである。
【００５５】
また、本動作では、ファクシミリ装置によって他の電話機からの着信を携帯用電話機１００に転送することが予め設定されているものとし、他の電話機からの着信時に当該着信処理を行うように設定されているものとする。
【００５６】
まず、通信制御部１１０は、他の電話機から発信に基づく着信を検出し、当該他の電話機からの着信を検出した場合に、当該着信が検出された旨をシステム制御部１９０に出力する（ステップＳ１１）。
【００５７】
次いで、システム制御部１９０は、着信が検出された旨が入力されると、通信制御部１１０に電話公衆網回線を介して他の電話機との通信回線を確立させるとともに（ステップＳ１２）、当該通信制御部１１０に他の電話機からの着信がファクシミリ通信であるか否か、すなわち、着信の種別を検出させる（ステップＳ１３）。
【００５８】
このとき、通信制御部１１０が、他の電話機からの着信がファクシミリ通信でない、すなわち、通話を行うための着信であることを検出すると、システム制御部１９０は、呼出音拡声部１８０に所定の呼出音を拡声させ（ステップＳ１４）、本動作を終了させる。
【００５９】
一方、通信制御部１１０が、他の電話機からの着信がファクシミリ通信であること検出すると、システム制御部１９０は、当該通信制御部１１０に、画像データの受信準備処理を行わせるととともに（ステップＳ１５）、送信されてきたデータを受信し、受信されたデータから画像データを生成する受信処理を行わせる（ステップＳ１６）。なお、このとき、表示制御部１４０は、システム制御部１９０の制御の下、ファクシミリ通信中である旨を表示部１３０に表示させる。
【００６０】
次いで、システム制御部１９０は、受信処理よって生成された画像データをデータ格納部１５０に格納するとともに、通信制御部１１０に他の電話機との通信回線を切断させる（ステップＳ１７）。
【００６１】
次いで、システム制御部１９０は、データ生成部１２０に通信制御部１１０にて生成された画像データの文字部分を認識させるとともに、認識された文字部分の文字データを生成させる文字認識処理を行わせる（ステップＳ１８）。
【００６２】
次いで、システム制御部１９０は、表示制御部１４０にデータ生成部１２０にて生成された文字データから表示データを生成させるとともに表示部１３０に当該文字データを表示させ（ステップＳ１９）、本動作を終了させる。
【００６３】
以上のように、本実施形態の携帯用電話機１００は、他の電話機からの着信がファクシミ通信の場合に、送信された画像データを受信することができるとともに、受信された画像データを文字データとして表示部１３０に表示することができるので、他の電話機の発信に基づく着信が為されたファクシミリ通信機能を有する通信端末装置からの転送されるすべての着信を受信することができ、携帯用通信端末装置において、任意のファクシミリ通信機能を有する電話機の着信をユーザが指定した電話機に転送する転送サービスを享受することができる。
【００６４】
また、本実施形態の携帯用電話機１００は、受信された画像データを、文字データにて表示することができるので、ユーザが当該受信された画像データの内容を理解することができる。
【００６５】
通常、携帯用電話機１００の表示部１３０は、ファクシミリ通信される画像データの大きさより極めて小さいので、受信された画像データを、受信された形式にて、または、サムネイルなどの縮小画像にて表示したとしても、ユーザは容易に受信された画像データを認識することができない。
【００６６】
したがって、本実施形態の携帯用電話機１００は、画像データを文字データに変換することによって、当該携帯用電話機１００を表示する際に、種々の表示方法により、表示させることができるので、ユーザが当該受信された画像データの内容を理解することができる。
【００６７】
また、本実施形態の携帯用電話機１００は、受信された画像データもデータ格納部１５０に格納されるようになっているので、印刷装置などの外部装置と接続すれば、当該画像データを紙などの媒体に出力させることができるので、ファクシミリ装置と同様な機能を発揮することができる。
【００６８】
なお、本実施形態では、着信処理において、通信制御部１１０は、受信された画像データが格納された後に他の電話機との通信回線を切断するようになっているが、勿論、表示制御部１４０が画像データを表示部１３０に表示させた後に切断するようにしてもよい。
【図面の簡単な説明】
【００６９】
【図１】本願に係る一実施形態の携帯用電話機の構成を示す構成図である。
【図２】一実施形態のシステム制御部における着信処理の動作を示すフローチャートである。
【符号の説明】
【００７０】
１００  …  携帯用電話機
１１０  …  通信制御部
１２０  …  データ生成部
１３０  …  表示部
１４０  …  表示制御部
１５０  …  データ格納部
１６０  …  操作部
１７０  …  出力制御部
１８０  …  呼出音拡声部
１９０  …  システム制御部
２００  …  ＲＯＭ／ＲＡＭ
２１０  …  音声処理部
２２０  …  拡声制御部
【図１】
2006261743.tif 000003
【図２】
2006261743.tif 000004